(57)【要約】      （修正有）【課題】三側面すべてに指示機能を持たせることでより多様な指示ができるとともに、設置者による指示方向の設置ミスが生じないように工夫された指示機能付き標示具を提供する。【解決手段】略二等辺三角形状の第一側面２、第二側面３および第三側面４を有する略三角錐状に形成された標示具であって、前記第一側面２には視認者に右側への通行を指示する右矢印２１が設けられており、前記第二側面３には視認者に左側への通行を指示する左矢印３１が設けられており、前記第三側面４には視認者への注意を喚起する注意マーク４１が設けられている。【選択図】図４
0003195319.tif 000002
【実用新案登録請求の範囲】
【請求項１】
略二等辺三角形状の第一側面、第二側面および第三側面を有する略三角錐状に形成された標示具であって、前記第一側面には視認者に右側への通行を指示する右矢印が設けられており、前記第二側面には視認者に左側への通行を指示する左矢印が設けられており、前記第三側面には視認者への注意を喚起する注意マークが設けられている指示機能付き標示具。
【請求項２】
前記第一側面、前記第二側面および前記第三側面が平面視で反時計回り順に配置されており、頂部に前記第一側面と前記第二側面との接する方向を指示する矢印方向指示部が設けられている請求項１に記載の指示機能付き標示具。
【請求項３】
前記右矢印、前記左矢印および前記注意マークが反射材によって形成されている、請求項１または請求項２に記載の指示機能付き標示具。
【請求項４】
底部の外縁に沿って、錘および滑り止めとなるラバーが取り付けられている、請求項１から請求項３のいずれかに記載の指示機能付き標示具。
【請求項５】
前記第一側面、前記第二側面および前記第三側面の少なくとも一面の上部に持ち手となる持ち手孔が形成されている、請求項１から請求項４のいずれかに記載の指示機能付き標示具。
【考案の詳細な説明】
【技術分野】
【０００１】
本考案は、簡易的に道路標識等として用いられ、視認者に通行する方向および注意を指示する機能を有する指示機能付き標示具に関するものである。
【背景技術】
【０００２】
従来、道路において事故が発生した場合、後続する自動車の運転手等にその注意を促すために、簡易的な道路標識として略円錐形状に形成されたコーンが置かれることがある。しかし、このコーンはその存在によって注意喚起するだけであり、コーンによって指示されている内容は、特に明示されていないものも多く、視認者の経験等に基づいて理解ないし判断される状況にあり、判断できない場合や判断が間違うこと等により交通渋滞や二次的な事故に繋がることがあった。
【０００３】
そこで、これまでに、コーンの表面に具体的な指示を標示した標示具に関する考案が提案されている。
【０００４】
例えば、特開２０１２−２５１３３３号公報では、三角錐状に形成され、各側板部に標示部を備えた標示部材が提案されている（特許文献１）。この特許文献１によれば、２つの側面の標示部に右矢印または左矢印を設けることで、車線変更を促すことができるとされている。
【先行技術文献】
【特許文献】
【０００５】
【特許文献１】特開２０１２−２５１３３３号公報
【考案の概要】
【考案が解決しようとする課題】
【０００６】
しかしながら、特許文献１に記載された考案においては、残りの第三の側面については台形状の白色のシートが設けられているだけで、指示機能としては有効に機能していないという問題がある。
【０００７】
ところで、上記のような標示具の各側面にはそれぞれ意図のある指示機能を持たせているため、視認者に対して間違った指示をすることは大事故に繋がることから細心の注意が必要である。従って、設置者側としても過誤が生じないような工夫が求められている。
【０００８】
本考案は、このような問題点やニーズを解決するためになされたものであって、三側面すべてに指示機能を持たせることでより多様な指示ができるとともに、設置者による指示方向の設置ミスが生じないように工夫された指示機能付き標示具を提供することを目的としている。
【課題を解決するための手段】
【０００９】
本考案に係る指示機能付き標示具は、略二等辺三角形状の第一側面、第二側面および第三側面を有する略三角錐状に形成された標示具であって、前記第一側面には視認者に右側への通行を指示する右矢印が設けられており、前記第二側面には視認者に左側への通行を指示する左矢印が設けられており、前記第三側面には視認者への注意を喚起する注意マークが設けられている。
【００１０】
また、本考案の一態様として、前記第一側面、前記第二側面および前記第三側面が平面視で反時計回り順に配置されており、頂部に前記第一側面と前記第二側面との接する方向を指示する矢印方向指示部が設けられていてもよい。
【００１１】
さらに、本考案の一態様として、前記右矢印、前記左矢印および前記注意マークが反射材によって形成されていてもよい。
【００１２】
また、本考案の一態様として、底部の外縁に沿って、錘および滑り止めとなるラバーが取り付けられていてもよい。
【００１３】
さらに、本考案の一態様として、前記第一側面、前記第二側面および前記第三側面の少なくとも一面の上部に持ち手となる持ち手孔が形成されていてもよい。
【考案の効果】
【００１４】
本考案によれば、三側面すべてに指示機能を持たせることでより多様な指示ができるとともに、設置者による指示方向のミスが生じないようにすることができる。
【図面の簡単な説明】
【００１５】
【図１】本考案に係る指示機能付き標示具の一実施形態における第一側面を示す図である。
【図２】本実施形態における第二側面を示す図である。
【図３】本実施形態における第三側面を示す図である。
【図４】本実施形態の指示機能付き標示具を示す上面図である。
【図５】右矢印の他の形状を示す図である。
【図６】本実施形態の指示機能付き標示具の頂部を示す一部拡大上面図である。
【図７】本実施形態の指示機能付き標示具を示す底面図である。
【考案を実施するための形態】
【００１６】
以下、本考案に係る指示機能付き標示具の一実施形態について図面を用いて説明する。
【００１７】
本実施形態の指示機能付き標示具１は、図１〜図４に示すように、主として、略二等辺三角形状の第一側面２、第二側面３および第三側面４を有する略三角錐状に形成されており、頂部に矢印方向指示部５と、底部８１にラバー６とが設けられている。
【００１８】
第一側面２は、図１に示すように、略二等辺三角形状に形成されており、外表面には視認者に右側への通行を指示する右矢印２１が設けられている。本実施形態における第一側面２は、背景として朱色の塗料が塗られているとともに前記右矢印２１がシルバー色等で形成されており、色彩のコントラストによって日中における前記右矢印２１の視認性を高めている。また、前記右矢印２１は反射材によって形成されており、夜間において車のライト等に反射して視認できるようになっている。
【００１９】
本実施形態における右矢印２１は、シート状の反射材を、鋭角状ないし直角状に大きさの異なる大小にカットし、横方向に並べて第一側面に貼り付けることにより形成されている。なお、右矢印２１の形状は、特に限定されるものではなく、図５に示すように、様々な矢印形状から適宜選択してよい。また、反射材は、シート状のものに限定されるものではなく、反射塗料を塗布する等、適宜選択してよい。
【００２０】
第二側面３は、図２に示すように、略二等辺三角形状に形成されており、外表面には視認者に左側への通行を指示する左矢印３１が設けられている。また、第二側面３は、第一側面２と同様、日中の視認性を高めるため、背景に朱色の塗料が塗られているとともに、前記左矢印３１がシルバー色等で形成されている。さらに、左矢印３１は、前記右矢印２１と同様、大小の鋭角状ないし直角状にカットした反射材からなり、夜間において車のライト等に反射して視認できるようになっている。
【００２１】
第三側面４は、図３に示すように、略二等辺三角形状に形成されており、外表面には視認者への注意を喚起する注意マーク４１が設けられている。また、第三側面４は、第一側面２や第二側面３と同様、日中の視認性を高めるため、背景に朱色の塗料が塗られているとともに、前記注意マーク４１がシルバー色等に形成されている。
【００２２】
また、本実施形態における注意マーク４１は、中央に感嘆符を配置し、周囲の略二等辺三角形状の縁に沿った枠部が形成されている。このマークは、一般的に注意マーク４１として認識されているものであり、視認者はこの注意マーク４１を視認することで、何等かの事故等のトラブルがあることを認識することができる。
【００２３】
次に、図４に示すように、前記第一側面２、前記第二側面３および前記第三側面４が平面視で反時計回り順に配置されている。そのため、前記第一側面２の右矢印２１と第二側面３の左矢印３１とは、各々の矢印の方向が、前記第一側面２と前記第二側面３とが接する側縁部７に向けられることになる。
【００２４】
矢印方向指示部５は、前記第一側面２と前記第二側面３とが接する前記側縁部７がいずれの方向にあるかを指示するためのものであり、図６に示すように、頂部に設けられる矢印等で構成されている。つまり、設置者が本実施形態の指示機能付き標示具１を設置する際に、右矢印２１、左矢印３１および注意マーク４１が設けられている面を上方から矢印方向指示部５を見るだけで認識することができるようになっている。なお、矢印方向指示部５の形状は、図示した矢印等に限定されるものではなく、前記第一側面２と前記第二側面３とが接する前記側縁部７側に設けた突起や孔等、ニーズに応じて適宜選択してもよい。
【００２５】
また、前記第一側面２および前記第二側面３の上部には、図１および図２に示すように、略矩形状の持ち手孔９が形成されており、設置者が本実施形態の指示機能付き標示具１を持ち運ぶ際の持ち手となる。なお、持ち手孔９を設ける面は、前記第一側面２および前記第二側面３に限定されるものではなく、前記第一側面２、前記第二側面３および前記第三側面４の少なくとも一面に設けられていればよい。
【００２６】
また、底部８１には、図１〜図３および図７に示すように、錘と滑り止めの機能を兼ね備えたラバー６が取り付けられている。本実施形態では、前記第一側面２、前記第二側面３および前記第三側面４の下部に沿って略三角形状に形成された下枠８が設けられており、この下枠８の底部８１にラバー６が付設されている。また、底部８１の中央は、略三角形状に開口されており、他の指示機能付き標示具１に重ねられるようになっている。
【００２７】
次に、本実施形態の指示機能付き標示具１における各構成の作用について説明する。
【００２８】
指示機能付き標示具１は、道路等の上に置かれることで、走行してくる車の運転手等の視認者に通行する方向等を指示することができる。例えば、図１に示すように、第一側面２を視認者に向けて設置した場合、視認者は前記第一側面２に記載された右矢印２１により、右側への通行を指示されているものと認識する。そして、視認者は右側を通って通行を行う。
【００２９】
同様に、図２に示すように、第二側面３を視認者に向けて設置した場合、視認者は前記第二側面３に記載された左矢印３１により、左側への通行を指示されているものと認識し、視認者は左側を通って通行を行う。
【００３０】
また、図３に示すように、第三側面４を視認者に向けて設置した場合、視認者は前記第三側面４に記載された注意マーク４１により、注意が必要なものとして認識する。そして、視認者は、その認識に基づき徐行等の必要な各種行動を取ることができる。
【００３１】
また、第一側面２、第二側面３および第三側面４と、右矢印２１、左矢印３１および注意マーク４１は朱色とシルバー色等との色彩のコントラストにより視認性が高く、夜間においても反射材が反射することで視認性が高い。よって、視認者による見落としを防ぐことができる。
【００３２】
また、設置者は、上方から矢印方向指示部５を見ることによって、矢印が設けられている面や注意マークが設けられている面、および各矢印の方向が容易に認識できる。よって、設置者は、第一側面２、第二側面３および第三側面４を横方向から見て確認しなくても、右矢印２１、左矢印３１および注意マーク４１を確実に視認者の方向に向けることができ、置き間違えや指示間違えを減らすことができる。
【００３３】
さらに、設置者は、持ち手孔９に手を入れることで容易に持ち運ぶことができ、道路等に素早く設置することができる。
【００３４】
また、底部８１に設けられたラバー６は路面等との摩擦抵抗が大きいため、滑り止めとなるし、ラバー６の重さにより、重心が低くなるので、風等によって転倒しづらくなる。
【００３５】
さらに、指示機能付き標示具１の底部８１は開口しており、他の指示機能付き標示具１に重ねることができるため、例えば狭い車中等の狭い場所であっても多数の指示機能付き標示具１を収納することができる。
【００３６】
以上のような本実施形態の指示機能付き標示具１によれば、以下の効果を得ることができる。
１．左右方向へ通行を促すのみならず、第三側面４に注意を喚起させる注意マーク４１を設けることにより、三面全てに指示機能を持たせることができる。
２．色彩のコントラストや反射光によって昼夜問わず視認性がよく、視認者の見落としを軽減することができる。
３．設置者が上方から矢印の方向や注意マーク４１のある面を認識することができるので、置き間違えや指示間違えを減らし、速やかに設置することができる。
４．底面８１にラバー６を設けることで、風等によって滑ったり転倒したりするのを防止することができる。
５．持ち運び易く、素早く設置および回収を行うことができるため、設置者が路上にいる時間が短くなり、設置者の安全を確保することができる。
【００３７】
なお、本考案に係る指示機能付き標示具は、前述した一実施形態に限定されるものではなく、適宜変更することができる。
【００３８】
例えば、第一側面２、第二側面３および第三側面４は、背景が朱色に塗られているが、特に限定されるものではなく、黄色等の他の色であってもよい。
【符号の説明】
【００３９】
１  指示機能付き標示具
２  第一側面
３  第二側面
４  第三側面
５  矢印方向指示部
６  ラバー
７  側縁部
８  下枠
９  持ち手孔
２１  右矢印
３１  左矢印
４１  注意マーク
８１  底部
【図１】
0003195319.tif 000003
【図２】
0003195319.tif 000004
【図３】
0003195319.tif 000005
【図４】
0003195319.tif 000006
【図５】
0003195319.tif 000007
【図６】
0003195319.tif 000008
【図７】
0003195319.tif 000009